(57)【要約】【課題】出光面からの出射光と、表示部が表示する画像との一体感を生じさせることができる表示装置及びテレビジョン受信機を提供する。【解決手段】表示装置は、前面２ａに画像を表示する表示部２と、前記前面２ａの周縁部を覆う被覆部材４と、前記周縁部及び被覆部材４の間に位置し、前記周縁部に対して前向きに延びる出光面６１とを備える。テレビジョン受信機は、上記の表示装置と、テレビジョン放送を受信する受信部とを備え、前記受信部で受信したテレビジョン放送に基づいて前記表示部２に映像を表示するようにしてある。【選択図】図３
2018148462.tif 000002
【特許請求の範囲】
【請求項１】
前面に画像を表示する表示部と、
前記前面の周縁部を覆う被覆部材と、
前記周縁部及び被覆部材の間に位置し、前記周縁部に対して前向きに延びる出光面と
を備えることを特徴とする表示装置。
【請求項２】
前記表示部の動作に応じて、前記出光面から光が出射することを特徴とする請求項１に記載の表示装置。
【請求項３】
前記表示部に表示される画像に応じて、前記出光面から光が出射することを特徴とする請求項２に記載の表示装置。
【請求項４】
前記出光面から出射する光の輝度又は色は、前記表示部に表示される画像に応じて変化することを特徴とする請求項３に記載の表示装置。
【請求項５】
前記出光面をなす第１面、該第１面に連続し、前記前面に沿っており、凹凸部を有する第２面、及び該第２面に連続する第３面を有する導光体と、
前記第３面に対向する発光部と
を備える請求項１から請求項４までのいずれか一つに記載の表示装置。
【請求項６】
前記第２面及び前記第３面がなす角度は鋭角であることを特徴とする請求項５に記載の表示装置。
【請求項７】
音声を出力する音声出力部を備え、
該音声出力部が出力する音声に応じて、前記出光面から光が出射する
ことを特徴とする請求項１から請求項６までのいずれか一つに記載の表示装置。
【請求項８】
外部機器が接続される接続部を備え、
該接続部に接続されている外部機器の動作に応じて、前記出光面から光が出射することを特徴とする請求項１から請求項７までのいずれか一つに記載の表示装置。
【請求項９】
請求項１から請求項８のいずれか１つに記載の表示装置と、
テレビジョン放送を受信する受信部と
を備え、
前記受信部で受信したテレビジョン放送に基づいて前記表示部に映像を表示するようにしてあることを特徴とするテレビジョン受信機。
【発明の詳細な説明】
【技術分野】
【０００１】
本発明は、表示装置及びテレビジョン受信機に関する。
【背景技術】
【０００２】
前面に画像を表示する表示部を備える表示装置は、テレビジョン受信機及びパーソナルコンピュータ等の機器に用いられている。表示面の周縁部には、表示装置又は該表示装置を備える機器の動作状態を示すインジケータ部が配されている場合がある。
【０００３】
例えば、特許文献１のノートブック型パーソナルコンピュータが備えるインジケータ部は、表示面の下部に位置する発光部（ＬＥＤ）と、受光面から発光部からの光を受光し、出光面から光が出射する導光体とを備える。インジケータ部は、導光体からの出射光により、ノートブック型パーソナルコンピュータの電源の投入状態及び充電状態等の動作状態を表示する。
【先行技術文献】
【特許文献】
【０００４】
【特許文献１】特開２００２−０７２９３３号公報
【発明の概要】
【発明が解決しようとする課題】
【０００５】
しかしながら、インジケータ部における導光体からの出射光は、表示装置の動作状態等を使用者に伝達しているが、表示面に表示される画像と連動しておらず、一体感は生じていない。一方、導光体からの出射光を画像と連動させる場合、該出射光により画像の品位を低下させてしまう虞がある。
【０００６】
本発明は、斯かる事情に鑑みてなされたものであり、その目的とするところは、出光面からの出射光と、表示部が表示する画像との一体感を生じさせることができる表示装置及びテレビジョン受信機を提供することにある。
【課題を解決するための手段】
【０００７】
本開示の一実施形態に係る表示装置は、前面に画像を表示する表示部と、前記前面の周縁部を覆う被覆部材と、前記周縁部及び被覆部材の間に位置し、前記周縁部に対して前向きに延びる出光面とを備えることを特徴とする。
【０００８】
また、前記表示部の動作に応じて、前記出光面から光が出射することを特徴とする。
【０００９】
また、前記表示部に表示される画像に応じて、前記出光面から光が出射することを特徴とする。
【００１０】
また、前記出光面から出射する光の輝度又は色は、前記表示部に表示される画像に応じて変化することを特徴とする。
【００１１】
また、前記出光面をなす第１面、該第１面に連続し、前記前面に沿っており、凹凸部を有する第２面、及び該第２面に連続する第３面を有する導光体と、前記第３面に対向する発光部とを備える。
【００１２】
また、前記第２面及び前記第３面がなす角度は鋭角であることを特徴とする。
【００１３】
また、音声を出力する音声出力部を備え、該音声出力部が出力する音声に応じて、前記出光面から光が出射することを特徴とする。
【００１４】
また、外部機器が接続される接続部を備え、該接続部に接続されている外部機器の動作に応じて、前記出光面から光が出射することを特徴とする。
【００１５】
本開示の一実施形態に係るに係るテレビジョン受信機は、上述の表示装置と、テレビジョン放送を受信する受信部とを備え、前記受信部で受信したテレビジョン放送に基づいて前記表示部に映像を表示するようにしてあることを特徴とする。
【発明の効果】
【００１６】
本発明によれば、出光面からの出射光と、表示部が表示する画像との一体感を生じさせることができる。
【図面の簡単な説明】
【００１７】
【図１】実施の形態１に係る表示装置の斜視図である。
【図２】表示装置の模式的な部分斜視断面図である。
【図３】図１のＩＩＩ−ＩＩＩ線による断面図である。
【図４】導光体の正面斜視図である。
【図５】導光体の背面斜視図である
【図６】光の進行を説明する模式図である。
【図７】出射光の範囲を説明する模式図である。
【図８】導光体の形状を説明する模式図である。
【図９】出射光の範囲を説明する模式図である。
【図１０】導光体の形状を説明する模式図である。
【図１１】実施の形態２に係る表示装置の模式的部分断面図である。
【図１２】実施の形態３に係る表示装置の模式的な正面図である。
【図１３】表示装置の構成を表すブロック図である。
【図１４】表示装置における情報処理を示すフローチャートである。
【図１５】音声解析と光出力とを示すイメージ図である。
【図１６】実施の形態４に係る表示装置としてのカーナビゲーションシステムを示す模式的な正面図である。
【図１７】実施の形態５に係る表示装置の動作概要を示すイメージ図である。
【図１８】実施の形態６に係る表示装置の動作パターンを示すイメージ図である。
【図１９】表示装置の音量変更の第１の動作概要を示すイメージ図である。
【図２０】表示装置の音量変更の第２の動作概要を示すイメージ図である。
【図２１】表示装置のチャンネル変更の第１の動作概要を示すイメージ図である。
【図２２】表示装置のチャンネル変更の第２の動作概要を示すイメージ図である。
【図２３】表示装置のチャンネル変更の第３の動作概要を示すイメージ図である。
【図２４】表示装置の「出会う」の動作概要を示すイメージ図である。
【発明を実施するための形態】
【００１８】
以下、本発明の実施形態について説明する。
（実施の形態１）
図１は、実施の形態１に係る表示装置の斜視図である。図１において１は、表示装置であり、図示の如く表示装置１は、表示面２ａを有する矩形の液晶パネル２と、該液晶パネル２に表示面２ａの反対側から光を照射するバックライト装置３（図２参照）とを備える。また、表示装置１は、液晶パネル２の一の長辺側から支持する脚部１０を備える。表示装置１は、脚部１０を下側にして平坦な台に載せ、表示面２ａを前面として使用する。以下の説明においては、表示装置１の使用状態における上下、前後方向を使用する。
【００１９】
表示装置１の内部には、アンテナから放送波を受信するチューナ１１及び符号化された放送波を復号するデコーダ１２が設けてあり、表示装置１はテレビジョン受信機として構成されている。表示装置１は、表示面２ａの下辺全体を、後述する導光体を含めて覆っている被覆板４を備える。
【００２０】
図２は、表示装置１の模式的な部分斜視断面図である。図３は、図１のＩＩＩ−ＩＩＩ線による断面図である。バックライト装置３は、矩形状の底板と、該底板の四辺の夫々から立ち上がる側板とを有するシャーシ３０を備える。シャーシ３０は、液晶パネル２側に開口が設けられた浅底箱型をなす。
【００２１】
シャーシ３０の底板上には複数のＬＥＤ（不図示）が並設されており、これらのＬＥＤは、シャーシ３０の内面全体を覆う反射シート３３から前側に露出させてある。液晶パネル２は、シャーシ３０の開口側にパネルシャーシを介して後面が前記底板に対向するように配されており、液晶パネル２とシャーシ３０との間には矩形状の拡散板３４ａ及び光学シート３４ｂが配されている。
【００２２】
液晶パネル２の表示面２ａの周縁部はベゼル５に覆われている。ベゼル５は、矩形枠形の前板５ａと該前板５ａの外周縁から垂直に立ち上がる側板５ｂとを有する。ベゼル５の前板５ａは、スペーサを介して液晶パネル２の周縁部を覆っている。ベゼル５の側板５ｂは、例えば、螺子によりシャーシ３０の側板に固定されている。
【００２３】
被覆板４は、矩形の前板４ａと、該前板４ａの一の長辺から立ち上がる側板４ｂとを有する断面Ｌ字状の部材である。前板４ａは、中央部にて一側に張り出すように湾曲している湾曲部４０を有する。被覆板４は、湾曲部４０が液晶パネル２の前側に張り出すようにベゼル５の下辺部分に対向させて取り付けられている。湾曲部４０及びベゼル５の前面の間には、空間が形成されている。
【００２４】
図４は、導光体６の正面斜視図であり、図５は、導光体６の背面斜視図である。導光体６は、ガラス又は透明な樹脂製であり、第１面６１と、該第１面に連続する第２面６２と、該第２面に連続する第３面６３と、第１面及び第３面に連続する第４面６４とを有する。
【００２５】
第２面６２は、一方向に長い矩形状をなしており、第１面６１及び第３面６３は、第２面６２の長辺夫々から同じ向きに張り出している。第４面６４は、第２面６２に略平行である。第１面６１及び第２面６２がなす角度、第２面６２及び第３面６３がなす角度は、鋭角である。第１面６１及び第２面６２がなす角度は、第２面６２及び第３面６３がなす角度よりも大きい。また、第３面６３及び第１面６１の第２面６２からの張り出し幅は、長手方向中央から両端に向けて徐々に小さくなっている。これにより、導光体６は、前記湾曲部４０に沿った形状となっている。
【００２６】
第２面６２は、ローレット加工により形成された凹凸部６２ａを有する。凹凸部６２ａは、第２面６２の長手方向両端部を除いた部分に形成されている。なお、凹凸部６２ａは、第２面６２全面に形成されていてもよい。第１面６１は、梨地状に形成されている。また、第４面６４は、黒色に着色されている。ローレット加工により、第２面６２に凹凸部６２ａを容易に形成することができる。
【００２７】
導光体６は、表示パネル２の周縁部の下部において、被覆板４の湾曲部４０及びベゼル５の前面間に、第１面６１が上向きで第３面６３が下向きになるように配されており、被覆板４及びベゼル５に挟持されている。したがって、第１面６１は、表示面２ａに対して前向きに延びることとなる。また、第１面６１は、湾曲部４０及びベゼル５の間で外向きに露出している。
【００２８】
導光体６の第２面６２は、ベゼル５の前面に接しており、表示面２ａに沿っている。第４面６４は、被覆板４の湾曲部４０の後面上端側に接している。導光体６は、第４面６４を、例えば両面テープにより湾曲部４０の後面に貼り付けることにより、被覆板４に固定される。
【００２９】
導光体６の下方には、ＬＥＤ基板７０が配され、ＬＥＤ基板７０は被覆板４に固定されている。ＬＥＤ基板７０には、導光体６の第３面６３に対向する位置にＬＥＤ７１が実装されている。ＬＥＤ７１は、上向きに発光する。ここで、被覆板４が、導光体６、ＬＥＤ基板７０及びＬＥＤ７１を前面から覆っているので表示装置１の美観を向上させることができる。
【００３０】
図６は、光の進行を説明する模式図であり、図７は、出射光の範囲を説明する模式図である。図６に示すように、ＬＥＤ７１の発光は、第３面６３により後向きに屈折されて導光体６に入射して第２面６２側に到達し、第２面６２により斜め前向きに反射される。第２面６２に反射された光は、第１面６１に達し、該第１面６１から外部に出射される。第２面６２は凹凸部６２ａを有するので、第２面６２に到達した光は、導光体６の長手方向及び幅方向（上下方向）に拡散して反射される。
【００３１】
第１面６１は、表示面２ａの前側に位置し、前向きで斜め下に傾斜しているので、第１面への到達光は、前側に屈折する。このとき、第１面６１から出射する光は、第１面６１において屈折し、上向き及び前向きとなる。ここで、第１面６１及び第２面６２がなす角度が鋭角であるので、第１面６１から出射する光は、表示面２ａに映り込みにくくなる。また、第１面６１が梨地状に形成されているので、導光体６から出射する光にぼかし感が生じる。
【００３２】
第２面６２による反射光の一部は、第４面６４にも到達するが、第４面６４が黒色であるので吸収される。なお、第４面６４は、黒色に着色していなくてもよく、この場合、被覆板４の湾曲部４０の後面において光の反射を防止するようにすればよい。更に、第１面６１は、梨地状に形成されていなくてもよい。
【００３３】
第２面６２において拡散した光は、上下方向だけでなく、導光体６の長手方向にも進行する。したがって、導光体６から出射する光は、図７の斜線部分に示すように、導光体６の長手方向中央部を中心として広がり、中央部から両端部にかけて減衰するので、導光体６の長手方向中央部が明るくなり両端部が暗くなるように視認される。また、導光体６は、表示パネル２の周縁部の下部に配されているので、導光体６からの出射光は、表示パネル２の周縁部の下部から広がる。
【００３４】
ＬＥＤ７１からの光は、以上の如く、導光体６から出射する。したがって、表示装置１の使用者は、該導光体６の第１面６１を上側からのぞき込むことにより、第２面６２における反射光を明確に認識することができる。また、第２面６２は、表示面２ａに沿っており、表示面２ａの延長上に位置しているので、表示装置１の使用者に、表示面２ａに連なって光っているように認識させることができる。
【００３５】
ここで、第２面６２及び第３面６３がなす角度は、３５度以上６０度以下が望ましく、これにより、第３面６３による光の屈折が良好となり、出射光の範囲が良好となる。
【００３６】
導光体６における出射光の範囲は、第２面６２及び第３面６３がなす角度を変更することにより、変更することが可能である。図８は、導光体６の形状を説明する模式図である。導光体６の形状は、表示装置１に合わせて、変更が可能であり、例えば、図８Ａ〜図８Ｃに示すように設計される。
【００３７】
図８Ａ〜図８Ｃの導光体６において、第２面６２の幅Ｌ１は同一であり、１２．８ｍｍである。一方、図８Ａの導光体６において、第２面６２及び第３面６３のなす角度θ１は、４２．５度であり、図８Ｂの導光体６において、第３面６３及び第２面６２のなす角度θ２は、３５．０度であり、図８Ｃの導光体６において、第３面６３及び第２面６２のなす角度θ３は、６０．０度である。
【００３８】
図９は、出射光の範囲を説明する模式図である。図９Ａは、図８Ａの導光体６を用いた場合、図９Ｂは、図８Ｂの導光体６を用いた場合、図９Ｃは、図８Ｃの導光体６を用いた場合を示している。図９Ａに示す出射光の範囲は、導光体６の長手方向の幅がＷ１であり、図９Ｂに示す出射光の範囲は、導光体６の長手方向における幅がＷ２（Ｗ２＜Ｗ１）であり、図９Ｃに示す出射光の範囲は、導光体６の長手方向における幅がＷ３（Ｗ３＞Ｗ１）である。
【００３９】
以上のように、第２面６２の幅Ｌ１を同一として、第３面６３及び第２面６２のなす角度を小さくすることにより、出射光の範囲は小さくなり、第３面６３及び第２面６２のなす角度を大きくすることにより、出射光の範囲は大きくなる。したがって、第２面６２の幅を一定として、第３面６３及び第２面６２のなす角度を調整することにより、出射光の範囲を適宜に設定することができる。
【００４０】
また、出射光の範囲は、第２面６２の幅によっても変化する。第２面６２の幅は、表示装置１の設計によって変更されるが、第２面６２の幅に応じて、第３面６３及び第２面６２のなす角度を変更することにより、出射光の範囲を同程度とすることができる。図１０は、導光体の形状を説明する模式図であり、例えば、導光体６は、図１０Ａ〜図１０Ｃに示すように設計される。図１０Ａの導光体６において、第２面６２の幅Ｌ１は、１２．８ｍｍであり、第３面６３及び第２面６２のなす角度θ１は、４２．５度である。図１０Ｂの導光体６において、第２面６２の幅Ｌ２は、１４．９ｍｍであり、第３面６３及び第２面６２のなす角度θ２は、３５．０度である。図１０Ｃの導光体６において、第２面６２の幅Ｌ３は、１０．７ｍｍであり、第３面６３及び第２面６２のなす角度θ３は、６０．０度である。
【００４１】
図１０Ａ〜図１０Ｃのように設計された導光体６を用いた場合、第１面６１における発光の範囲は、同程度となる。以上のように、第２面６２の幅が表示装置１の設計により異なる場合であっても、第２面６２の幅に合わせて、第３面６３及び第２面６２のなす角度を調整することにより、出射光の範囲を同程度に調整できる。
【００４２】
以上の如く構成された表示装置１においては、図示しない制御部により動作の制御が行われる。表示装置１の使用者は、例えば、赤外線により表示装置１と通信するリモートコントローラ（以下、「リモコン」という）等の操作部を操作することにより、制御部に指示を送信することができる。
【００４３】
制御部の動作により、シャーシ３０内の各ＬＥＤから出射した光が、拡散板３４ａにより拡散し、光学シート３４ｂにより集束され、液晶パネル２の後面に照射される。液晶パネル２は、入射光を変調して透過し、前面である表示面２ａに画像を表示する。表示装置１は、チューナ１１により受信し、デコーダ１２が復号したテレビジョン放送の放送波に基づいて、液晶パネル２の表示面２ａに映像を表示し、テレビジョン受信機として機能する。
【００４４】
また、制御部は、ＬＥＤ７１の点消灯を制御し、ＬＥＤ７１の輝度及び色を制御する。電源のオンオフ、機能の選択、音量調整等のリモコン等による操作に伴ってＬＥＤ７１が点消灯し、また、ＬＥＤ７１の発光の輝度又は色が変化する。これらを利用して、表示パネル２が表示面２ａに表示する表示画像に応じて、種々の演出を行わせることができる。したがって、導光体６から出射される光と、表示パネル２が表示する画像との一体感を生じさせることができ、使用者に知覚させることができる。
【００４５】
第１面６１は、表示面２ａの周縁部に配されており、該周縁部に対して前向きに延びている。これにより、例えば、表示面２ａの下端部中央に明るい画像を表示することにより、第１面６１と、表示面２ａの下端部とがシームレスに発光しているように見えることとなる。したがって、第１面６１からの出射光と、液晶パネル２が表示する画像との一体感を生じさせることができる。
【００４６】
また、導光体６において、ＬＥＤ７１からの光は、第２面６２において拡散反射して、第１面６１から出射する。出射した光は、第２面６２による反射光であるので、上方向に進行する一方、前側に拡散して進行する。したがって、導光体６からの出射光による画像の品位の低下を防止できる。導光体６からの出射光は、表示面２ａの画像への影響が少なく、邪魔とはならない。更に、導光体６からの出射光は、第１面６１の梨地面によりぼかし感が生じており、表示面２ａの画像との一体感が良好となる。
【００４７】
第１面６１及び第３面６３の第２面６２からの張り出し幅は、長手方向中央部から両端部に向けて小さくなっており、導光体６を含めて表示パネル２の下部を覆う被覆板４の湾曲部４０もこれに沿った形状にすることができ、表示装置１のデザイン性が向上する。なお、第１面６１及び第３面６３の第２面６２からの張り出し幅は、長手方向において一定であってもよく、導光体６は、第２面６２による反射光を出射することができれば、いかなる形状であってもよい。
【００４８】
（実施の形態２）
実施の形態２においては、実施の形態１と導光体の形状等が異なる。図１１は、実施の形態２に係る表示装置の模式的部分断面図である。実施の形態２に係る表示装置１の構成について、実施の形態１と同様な構成については、同一の符号を付してその詳細な説明を省略する。
【００４９】
実施の形態２に係る表示装置１は、導光体８を備える。導光体８は、第３面８１、第２面８２、第３面８３及び第４面８４及び第５面８５を有する。第３面８３及び第２面８２は、一方向に長い矩形状をなし、互いに平行であり、第３面８３及び第２面８２に垂直な連設面８５ａにより連なっている。第２面８２は、ローレット加工により凹凸状に形成されている。したがって、実施の形態２における第２面８２は、全面が凹凸部となる。
【００５０】
第３面８３及び第２面８２と、第４面８４とは、対向しており、第３面８３及び第４面８４の対向距離の方が長い。第４面８４は一方向に長い矩形状をなす。第１面８１は、第２面８２及び第４面８４に連なっており、第２面８２に対して鋭角をなしている。
【００５１】
第５面８５は、第４面に連なり、第３面８３に連設面８５ｂを介して連なっている。連設面８５ｂは第３面８３から垂直に張り出している。第５面８５は、第４面８４に対して鈍角をなし、連設面８５ｂに対して鈍角をなしている。また、第５面８５及び第２面８２のなす角度は鋭角である。
【００５２】
導光体８は、表示面２ａの周縁部の下辺側中央において、第２面８２がベゼル５に対向するように配される。第３面８３は、表示面２ａの外側に位置し、ＬＥＤ７１は、第３面８３に対向するように配される。第４面８４は被覆板４に接する。
【００５３】
ＬＥＤ７１の光は、第３面８３から入射し、第５面８５において反射し、第２面８２に到達する。第２面８２に到達した光は、第２面８２において拡散反射し、第１面８１から出射する。この場合においても、導光体８の発光の範囲及び方向は、実施の形態１と同様となる。
【００５４】
以上の構成によれば、実施の形態１と同様に、導光体８の第１面８１からからの出射光は第２面８２における反射光であるので、導光体８からの出射光による画像の品位の低下を防止できる。また、導光体８からの出射光と、表示パネル２が表示する画像との一体感を生じさせることができ、使用者に知覚させることができる。また、導光体８は、表示面２ａの周縁部に配されているので、表示面２ａに表示される画像の邪魔とはならず、導光体８からの出射光と表示面２ａに表示される画像との一体感が良好になる。
【００５５】
第２面８２及び第５面８５のなす角度は、鋭角であり、第３面８３から入射した光を屈折により、良好に第２面８２に進行させることができる。
【００５６】
なお、実施の形態１及び実施の形態２において、第２面６２又は８２において、ローレット加工でなく、凹凸を有する型により成形して、凹凸形状を形成することとしてもよい。
【００５７】
また、第３面６３に対向するＬＥＤの個数は、一つに限られず、複数個であってもよい。この場合、複数個のＬＥＤは、ＬＥＤ基板上に導光体６の長手方向に沿って並べてもよい。また、種々の発光色のＬＥＤを組み合わせて使用してもよい。
【００５８】
更に、導光体６は、表示面１の周縁部でなく、表示装置１の設計に伴って適宜の位置に配置してもよい。また、表示面２ａの周縁部の下部を覆うことができれば、被覆板４に代えて、シート状又はブロック状等の被覆部材により前記下部を覆うこととしてもよい。実施の形態１及び実施の形態２に係る表示装置１は、テレビジョン受信機に用いられる構成でなく、インフォメーションディスプレイ、カーナビゲーションの表示画面又はパーソナルコンピュータに用いられる構成であってもよい。
【００５９】
（実施の形態３）
図１２は、実施の形態３に係る表示装置の模式的な正面図である。実施の形態３に係る表示装置１の構成について、実施の形態１と同様な構成については、同一の符号を付してその詳細な説明を省略する。
【００６０】
実施の形態３に係る表示装置１は、実施の形態１と同様に、表示面２ａを有する液晶パネル２と、バックライト装置３と、被覆板４と、導光体６と、ＬＥＤ７１とを備える。表示装置１は、実施の形態１と同様に、テレビジョン装置として構成されている。なお、図１２において、脚部１０の図示は省略している。
【００６１】
表示装置１は、テレビジョン放送を受信し、液晶パネル２及びバックライト装置３を駆動することによって、液晶パネル２から映像を出力しながら、スピーカから当該映像に対応する第１の音声を出力する。表示装置１は、インターネットなどを介してサーバから各種の情報を取得するものであってよい。
【００６２】
実施の形態３においては、表示装置１は、テレビジョン放送とは別の第２の音声を出力する。第２の音声は、インターネットなどを介してダウンロードされるユーザの予定や天気予報などである。ＬＥＤ７１は、第２の音声に対応するように発光する。
【００６３】
図１３は、表示装置１の構成を表すブロック図である。表示装置１は、更に、ＣＰＵ（Central Processing Unit）１１０と、メモリ１２０と、操作部１４０と、アンテナ１５０と、通信インターフェイス１６０と、スピーカ１７０と、マイク１８０と、ＧＰＳ（Global Positioning System）１９０と、カメラ１９５と、接続部１９６と、音声信号出力インターフェイス１９７と、タイマ１９８とを含む。
【００６４】
ＣＰＵ１１０は、メモリ１２０に記憶されているプログラムを実行することによって、表示装置１の各部を制御する。例えば、ＣＰＵ１１０は、メモリ１２０に格納されているプログラムを実行し、各種のデータを参照することによって、後述する各種の処理を実行する。
【００６５】
メモリ１２０は、各種のＲＡＭ（Random Access Memory）、各種のＲＯＭ（Read Only Memory）等によって実現される。メモリ１２０は、ＣＰＵ１１０によって実行されるプログラムや、ＣＰＵ１１０によるプログラムの実行により生成されたデータ、第２の音声と光の輝度・強度・テンポとの対応関係などを記憶する。
【００６６】
液晶パネル２は、ＣＰＵ１１０からの信号に基づいて、実施の形態１において述べたように、テキストや画像を表示する。ＬＥＤ７１は、ＣＰＵ１１０からの信号に基づいて、第２の音声に呼応して発光する。ＬＥＤ７１の発光により、実施の形態１と同様に導光体６から光が出射する。該光は、第２面６２により拡散反射されて第１面６１から出射する。導光体６の第１面６１からの光の発光領域６００は、図１２に示すように、表示面２ａの周縁部の下部から広がっている。
【００６７】
操作部１４０は、サービスの管理者などの命令を受け付けて、当該命令をＣＰＵ１１０に入力する。
【００６８】
アンテナ１５０は、テレビジョン放送等を受信する。より詳細には、表示装置１は、アンテナ１５０の代わりに、屋外のアンテナからのテレビジョン放送の信号を受信するコネクタを有していてもよい。
【００６９】
通信インターフェイス１６０は、ＣＰＵ１１０からのデータを、インターネット、キャリア網、ルータなどを介して、サーバなどの他の装置に送信する。逆に、通信インターフェイス１６０は、インターネット、キャリア網、ルータなどを介してサーバなどの他の装置からのデータを受信して、ＣＰＵ１１０に受け渡す。
【００７０】
スピーカ１７０は、ＣＰＵ１１０からの信号に基づいて、音声を出力する。マイク１８０は、外部からの音声に基づいて音声信号を作成し、ＣＰＵ１１０に入力する。ＧＰＳ１９０は、表示装置１の現在位置を取得してＣＰＵ１１０に受け渡す。
【００７１】
カメラ１９５は、ＣＰＵ１１０からの信号に基づいて、表示装置１の外部を撮影する。撮影された画像データは、メモリ１２０に格納される。接続部１９６は、表示装置１と外部機器とを接続し、相互の通信が可能となる。
【００７２】
音声信号出力インターフェイス１９７は、外部のスピーカやアンプやヘッドホンやイヤホンなどに音声信号を出力する。タイマ１９８は、所定のときからの経過時間を計測したり、所定のときまでの残り時間を計測したりして、当該時間をＣＰＵ１１０に受け渡す。表示装置１は、ＣＰＵ１１０からの信号に基づいて、表示装置１の周囲の明るさを検知する明るさセンサを備えていてもよい。該検知結果はメモリ１２０に格納される。
【００７３】
図１４は、表示装置１における情報処理を示すフローチャートである。図１５は、音声解析と光出力とを示すイメージ図である。次に、図１４及び図１５を参照しながら、実施の形態３に係る表示装置１における情報処理について説明する。表示装置１のＣＰＵ１１０は、第２の音声を出力する際に、以下の処理を実行する。
【００７４】
まず、ＣＰＵ１１０は、図１５Ａに示すように、第２の音声を解析する（ステップＳ１０２）。ＣＰＵ１１０は、解析された音声に対応する光の出力方法を特定する（ステップＳ１０４）。例えば、大きい音声に対応して光の強度を強くしたり、小さい音声に対応して光の強度を弱くしたり、高い音声に対応して赤色に近い色にするために輝度を設定したり、低い音声に対応して青色に近い色にするために輝度を設定したり、変動が大きな音声に対応して、点滅のテンポを早めたり、変動が小さな音声に対応して点滅のテンポを遅くしたりする。
【００７５】
ＣＰＵ１１０は、スピーカ１７０に音声を出力させるとともに、図１４Ｂに示すように、決定された出力方法に基づいて、ＬＥＤ７１を発光させる（ステップＳ１０６）。
【００７６】
実施の形態３に係る表示装置１に関しては、導光体６の第１面６１からの出光により、第２の音声の出力が視覚的により強調されるようになる。そして、ＬＥＤ７１が点灯している際に、ユーザが番組の情報ではない情報が出力されていることを視覚的に認識することができる。また、たとえば、重要度を示す情報を含むデータを受信して、ＣＰＵ１１０が、重要な情報ほど大きく表示面２ａに表示したり、ＬＥＤ７１を強く光らせたりしてもよい。
【００７７】
以上の構成によれば、導光体６の第１面６１からの出射光と、液晶パネル２が表示する画像との一体感を生じさせることが可能となる。
【００７８】
（実施の形態４）
図１６は、実施の形態４に係る表示装置としてのカーナビゲーションシステムを示す模式的な正面図である。実施の形態４に係る表示装置１の構成について、実施の形態１及び実施の形態３と同様な構成については、同一の符号を付してその詳細な説明を省略する。
【００７９】
実施の形態４に係る表示装置１は、画像の表示に係る各構成部は、実施の形態３と同様であるが、カーナビゲーションシステムとして構成されている。表示装置１は、道路案内表示しながら、第１の音声としてカーナビゲーション情報を出力する。そして、表示装置１は、第２の音声として、他のお知らせや話しかけを出力する。実施の形態４においても表示装置１は、第２の音声に対して、ＬＥＤ７１が点灯したり点滅したりし、導光体６から実施の形態３と同様に、光が出射される。これによって、ユーザは、第２の音声が出力されていることを認識することができる。
【００８０】
以上の構成によれば、導光体６の第１面６１からの出射光と、カーナビゲーションシステムを構成する液晶パネル２が表示する地図などの画像との一体感を生じさせることが可能となる。
【００８１】
（実施の形態５）
図１７は、実施の形態５に係る表示装置の動作概要を示すイメージ図である。実施の形態５に係る表示装置１の構成について、実施の形態１及び実施の形態３と同様な構成については、同一の符号を付してその詳細な説明を省略する。
【００８２】
実施の形態５に係る表示装置１は、実施の形態３と同様の構成をなし、電話３００２や洗濯機３００３などの他の電気機器と接続部１９６を介して接続されている。そして、電話３００２や洗濯機３００３から入力される音声データを表示装置１が出力する際に、表示装置１が当該音声に合わせてＬＥＤ７１から光を出力するものであって良い。ＬＥＤ７１からの発光により、実施の形態３と同様に導光体６から光が出射する。
【００８３】
なお、電気機器は、電話３００２や洗濯機３００３に限らず、インターフォン、電子レンジ、エアコン、冷蔵庫、掃除機、空気清浄機、加湿器、除湿器、炊飯器、照明などの家電、テレビ、ハードディスクレコーダ、プロジェクタ、音楽プレーヤーなどのＡＶ（オーディオ・ヴィジュアル）機器、組み込み照明、太陽光発電機、給湯器、温水洗浄便座コントローラなどの住宅設備などであってよい。
【００８４】
これによって、ユーザが、電気機器からの通知を、ドラマなどのテレビ番組内の音声と勘違いする可能性を低減することができる。また、電気機器からの通知を知らせるためのダイアログボックスによって、ドラマなどのテレビ番組の映像が隠れることを回避することができるようになる。また、導光体６の出光面６１からの出光により、外部機器の動作が視覚的により強調されるようになる。
【００８５】
（実施の形態６）
実施の形態６に係る表示装置１は、実施の形態３と同様の構成をなし、動作毎に異なる方法で光を出力する。実施の形態６に係る表示装置１の構成について、実施の形態１及び実施の形態３と同様な構成については、同一の符号を付してその詳細な説明を省略する。
【００８６】
図１８は、実施の形態６に係る表示装置の動作パターンを示すイメージ図である。例えば、メモリ１２０は、図１８に示すような動作パターンデータベース１２５を記憶する。動作パターンデータベース１２５は、動作毎に、起動契機と、画面連動の有無と、光の色と、光の出力方法との対応関係を含む、ＣＰＵ１１０は、動作パターンデータベース１２５を参照することによって、自身の動作や周囲の環境に応じてＬＥＤ７１を点灯点滅させる。ＬＥＤ７１の発光により、実施の形態３と同様に、導光体６から光が出射される。
【００８７】
表示装置１は、起動された際に、「目覚める」動作を実行する。具体的には、ＣＰＵ１１０は、表示装置１が起動された際に表示面２ａに、ゆっくりと小さな光を生じさせて、当該光から画面を開始させる。あるいは、ＣＰＵ１１０は、ＬＥＤ７１の強度をゆっくりと高めていきながら、表示面２ａに映像を表示させる。
【００８８】
表示装置１は、電源がＯＦＦされた際に、「眠る」動作を実行する。具体的には、ＣＰＵ１１０は、表示装置１の電源がＯＦＦされた際に、表示面２ａに画面を消しつつ、光を少しずつ小さく弱くしていく。あるいは、ＣＰＵ１１０は、ＬＥＤ７１の強度をゆっくりと弱めていきながら、表示面２ａの映像を消す。
【００８９】
表示装置１は、リモコンや本体操作部から命令を受け付けた際に、「反応する」動作を実行する。具体的には、ＣＰＵ１１０は、リモコンや本体操作部から命令を受け付けた際に、表示面２ａの一部にパッと光を表示させたり、ＬＥＤ７１をパッと光らせたりする。
【００９０】
図１９は、表示装置１の音量変更の第１の動作概要を示すイメージ図であり、図２０は、表示装置の音量変更の第２の動作概要を示すイメージ図である。表示装置１は、音量を変更するための命令を受け付けた際に、「反応する（連動）」動作を実行する。具体的には、ＣＰＵ１１０は、リモコンや本体操作部から音量を変更するための命令を受け付けた際に、表示面２ａの一部に音量を示すための画像を表示する。より詳細には、ＣＰＵ１１０は、表示面２ａの下部の左右中央部に、図１９及び図２０に示すような、半円状の、インジケータを表示させる。換言すれば、音量を示す複数のバーが、半円状又は扇状に配列される。そして、ＣＰＵ１１０は、音量が大きくなればなるほど、左側から右側に向かって、多くのバーを表示面２ａに表示する。
【００９１】
図１９は、音量を変化するための命令を１回入力した場合の、表示面２ａの画面推移を示すイメージ図である。図２０は、音量を上げるための命令を連続して入力した場合の、表示面２ａの画面推移を示すイメージ図である。図１９と図２０に示すように、ＣＰＵ１１０は、表示面２ａに自動車などのスピードメータのように、変更後の音量に合わせて、放射状に配列される複数のバーの数を変更する。
【００９２】
より詳細には、ユーザが音量を上げる命令を１回押すと、ＣＰＵ１１０は、変更後の音量のインジケータを所定時間表示してから当該インジケータを消す。インジケータが消える前に、ユーザが音量を上げる命令を更に押すと、ＣＰＵ１１０は、音量のインジケータの画像を消さずにそのまま表示を変更する。ユーザが音量を上げる命令を長押しすると、ＣＰＵ１１０は、音量のインジケータの画像を消さずに連続して変更する。
【００９３】
ここで、ユーザが音量を変更するためのボタンを押すたびにＬＥＤ７１または表示面１０ａの一部又は全部が光ることが好ましい。あるいは、ユーザが音量変更するためのボタンを押している間、ＬＥＤ７１又は表示面１０ａの一部または全部が光っていることが好ましい。
【００９４】
なお、音量を下げる場合の動作は、音量を上げる場合の動作と同様であるためここでは説明を繰り返さない。
【００９５】
図２１は、表示装置１のチャンネル変更の第１の動作概要を示すイメージ図である。図２２は、表示装置１のチャンネル変更の第２の動作概要を示すイメージ図である。図２３は、表示装置１のチャンネル変更の第３の動作概要を示すイメージ図である。表示装置１は、チャンネルを変更するための命令を受け付けた際に、「反応する（連動）」動作を実行する。具体的には、ＣＰＵ１１０は、リモコンや本体操作部からチャンネルを変更するための命令を受け付けた際に表示面２ａの一部にチャンネルを示す画像またはテキストを表示する。より詳細には、図２１と図２２と図２３に示すように、ＣＰＵ１１０は、表示面１０ａの下部の左右中央部に変更後のチャンネルを表示させる。
【００９６】
図２１は、チャンネル指定命令を入力した場合の、表示面２ａの画面推移を示すイメージ図である。ＣＰＵ１１０は、表示面２ａに下部に変更後のチャンネルを表示させ、上部に変更後のチャンネルや番組情報を表示させ、画面全体を黒に切り替えてから、変更後のチャンネルの映像を表示させる。
【００９７】
図２２は、チャンネルをアップさせるための命令を入力した場合の、表示面２ａの画面推移を示すイメージ図である。ＣＰＵ１１０は、表示面２ａに、下部にチャンネルアップすることを示す画像を表示させ、上部左側に変更後のチャンネルや番組情報を表示させ、所定時間後に、画面全体を黒に切り替えてから、変更後のチャンネルの映像を表示させる。
【００９８】
図２３は、チャンネルアップキーを長押しした場合の、表示面２ａの画面推移を示したイメージ図である。ＣＰＵ１１０は、表示面２ａの下部に変更後の、チャンネルアップ中であることを示す画像を表示させ、上部左側に変更後のチャンネルや番組情報を表示させる。ＣＰＵ１１０は、チャンネルアップキーが押されている間、下部に変更後のチャンネルアップ中であることを示す画像を表示させながら、上部のチャンネルや番組情報を切り替えていく。チャンネルアップキーが押されなくなると、ＣＰＵ１１０は、画面全体を黒に切り替えてから、変更後のチャンネルの映像を表示面２ａに表示させる。
【００９９】
ここで、ユーザがチャンネルを変更するためのボタンを押すたびにＬＥＤ７１または表示面２ａの一部または全部が光ることが好ましい。あるいは、ユーザがチャンネルを変更するためのボタンを押している間、ＬＥＤ７１又は表示面２ａの一部または全部が光っていることが好ましい。
【０１００】
表示装置１は、ユーザから話しかけられた際に、「聞く」動作を実行する。具体的には、ＣＰＵ１１０は、マイク１８０を介してユーザからの音声を検知した際に、表示面２ａの一部またはＬＥＤ７１を相槌を打っているような一定のリズムで点滅させる。
【０１０１】
表示装置１は、ユーザへの「提案する」動作を実行する。具体的には、ＣＰＵ１１０は、スピーカ１７０からユーザへの提案情報を出力しつつ、表示面２ａの一部又はＬＥＤ７１に、初めに様々な淡い色の光を交じり合うように出力させ、その後に光を弱くして、その後に標準色の光を強めていく、例えば、光をふわふわと柔らかく点滅させたり、往復させたりすることが好ましい。
【０１０２】
表示装置１は、ユーザへの「話す」動作を実行する。具体的には、ＣＰＵ１１０は、スピーカ１７０からユーザへの会話を出力しつつ、表示面２ａの一部またはＬＥＤ７１に、当該会話に合わせたリズムで点滅させる。たとえば、光をふわふわと柔らかく点滅させたり、往復させたりすることが好ましい。
【０１０３】
表示装置１は、初期設定の際に「出会う」動作を実行する。具体的には、ＣＰＵ１１０は、初期設定を完了した際に、表示面２ａに数秒間映像をさせる。たとえば、図２４に示すように、初期設定が完了すると、ＬＥＤ７１を点滅させて導光体６から光を出射させ、一方で表示面２ａに泡が広がっていくような映像を表示させる。図２４は、表示装置の「出会う」の動作概要を示すイメージ図である。あるいは、ＷｉＦｉやｂｌｕｅｔｏｏｔｈの接続完了時にＣＰＵ１１０が、表示面１０ａの一部またはＬＥＤ７１に光を出力させてもよい。
【０１０４】
あるいは、ソフトウェアのバージョンアップが完了した際に、ＣＰＵ１１０が、表示面２ａの一部またはＬＥＤ７１に光を出力させてもよい。あるいは、ソフトウェアのバージョンアップ中に、ユーザによって表示装置１の電源がＯＦＦされないように、ＣＰＵ１１０が、表示面２ａの一部またはＬＥＤ７１に光を出力させてもよい。
【０１０５】
表示装置１は、予約動作を実行する際や、予約動作の所定時間前に、「お知らせ」動作を実行する。具体的には、ＣＰＵ１１０は、表示面２ａの一部またはＬＥＤ７１に「反応（小）」と同様の出力をさせたり、その他の点灯・点滅動作をさせたりする。これによって、お知らせ時に、映像の邪魔をしなくてよい。ただし、ＣＰＵ１１０は、表示面２ａにお知らせの情報のテキストを表示させたり、スピーカ１７０にお知らせの情報を音声出力させたりしてもよい。
【０１０６】
以上の構成によれば、液晶パネル２の駆動状態に合わせて、導光体６の第１面６１から光を出射させることができ、また、良好に液晶パネル２が表示する画像との一体感を生じさせることができる。液晶パネル２に表示される画像に応じて、第１面６１から光が出射することとなり、良好に液晶パネル２が表示する画像との一体感を生じさせることができる。出光面６１から出射される光の輝度又は色は、液晶パネル２に表示される画像に応じて変化することとなり、良好に液晶パネル２が表示する画像との一体感を生じさせることができる。以上のように、導光体６の第１面６１からの出射光と、液晶パネル２が表示する画像との一体感を生じさせることが可能となる。
【０１０７】
本開示の一実施形態に係る表示装置（１）は、前面（２ａ）に画像を表示する表示部（２）と、前記前面（２ａ）の周縁部を覆う被覆部材（４）と、前記周縁部及び被覆部材（４）の間に位置し、前記周縁部に対して前向きに延びる出光面（６１）とを備えることを特徴とする。
【０１０８】
本実施形態によれば、出光面（６１）は、前面（２ａ）の周縁部に配されており、該周縁部に対して前向きに延びている。したがって、例えば、前面（２ａ）の周縁部に明るい画像を表示することにより、出光面（６１）と、前面（２ａ）の周縁部とがシームレスに発光しているように見せることが可能となる。したがって、出光面（６１）からの出射光と、表示部（２）が表示する画像との一体感を生じさせることができる。
【０１０９】
本開示の一実施形態に係る表示装置（１）は、前記表示部（２）の動作に応じて、前記出光面から光が出射することを特徴とする。
【０１１０】
本実施形態によれば、表示部（２）の駆動状態に合わせて、出光面（６１）から光を出射させることができ、また、良好に表示部（２）が表示する画像との一体感を生じさせることができる。
【０１１１】
本開示の一実施形態に係る表示装置（１）は、前記表示部（２）に表示される画像に応じて、前記出光面（６１）から光が出射することを特徴とする。
【０１１２】
本実施形態によれば、良好に表示部（２）が表示する画像との一体感を生じさせることができる。
【０１１３】
本開示の一実施形態に係る表示装置（１）は、前記出光面（６１）から出射する光の輝度又は色は、前記表示部（２）に表示される画像に応じて変化することを特徴とする。
【０１１４】
本実施形態によれば、良好に表示部（２）が表示する画像との一体感を生じさせることができる。
【０１１５】
本開示の一実施形態に係る表示装置（１）は  前記出光面をなす第１面（６１，８１）、該第１面（６１，８１）に連続し、前記前面（２ａ）に沿っており、凹凸部（６２ａ）を有する第２面（６２，８２）、及び該第２面（６２，８２）に連続する第３面（６３，８３）を有する導光体と、前記第３面（６３，８３）に対向する発光部（７１）とを備える。
【０１１６】
本実施形態によれば、導光体（６，８）の第１面（６１，８１）からの出射光を第２面（６２，８２）における反射光とすることにより、導光体（６，８）からの出射光による画像の品位の低下を防止できる。また、導光体（６，８）からの出射光と表示面（２ａ）に表示される画像の一体感を良好に生じさせることができる。
【０１１７】
本開示の一実施形態に係る表示装置（１）は、前記第２面（６２）及び前記第３面（６３）がなす角度は鋭角であることを特徴とする。
【０１１８】
本実施形態によれば、第３面（６３）から入射した光を良好に第２面（６２）に進行させることができる。
【０１１９】
本開示の一実施形態に係る表示装置（１）は、音声を出力する音声出力部（１７０）を備え、該音声出力部（１７０）が出力する音声に応じて、前記出光面（６１）から光が出射することを特徴とする。
【０１２０】
本実施形態によれば、出光面（６１）からの出光により、音声出力部（１７０）による音声の出力が視覚的により強調されるようになる。
【０１２１】
本開示の一実施形態に係る表示装置（１）は、外部機器（３００２，３００３）が接続される接続部（１９６）を備え、該接続部（１９６）に接続されている外部機器（３００２，３００３）の動作に応じて、前記出光面（６１）から光が出射することを特徴とする。
【０１２２】
本実施形態によれば、出光面（６１）からの出光により、外部機器（３００２，３００３）の動作が視覚的により強調されるようになる。
【０１２３】
本開示の一実施形態に係るに係るテレビジョン受信機は、上述の表示装置（１）と、テレビジョン放送を受信する受信部（１１）とを備え、前記受信部（１１）で受信したテレビジョン放送に基づいて前記表示部（２）に映像を表示するようにしてあることを特徴とする。
【０１２４】
本実施形態によれば、上述の表示装置（１）を用いることにより、テレビジョン受信機における画像との一体感を生じさせることが可能となる。
【０１２５】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。即ち、請求項に示した範囲で適宜変更した技術的手段を組み合わせて得られる実施形態も本発明の技術的範囲に含まれる。
【符号の説明】
【０１２６】
１  表示装置
１１  チューナ（受信部）
２  液晶パネル（表示部）
２ａ  表示面（前面）
４  被覆板（被覆部材）
６、８  導光体
６１、８１  第１面（出光面）
６２、８２  第２面
６２ａ  凹凸部
６３、８３  第３面
７１  ＬＥＤ（発光部）
１７０  スピーカ（音声出力部）
１９６  接続部
３００２  電話（外部機器）
３００３  洗濯機（外部機器）
【図１】
2018148462.tif 000003
【図２】
2018148462.tif 000004
【図３】
2018148462.tif 000005
【図４】
2018148462.tif 000006
【図５】
2018148462.tif 000007
【図６】
2018148462.tif 000008
【図７】
2018148462.tif 000009
【図８】
2018148462.tif 000010
【図９】
2018148462.tif 000011
【図１０】
2018148462.tif 000012
【図１１】
2018148462.tif 000013
【図１２】
2018148462.tif 000014
【図１３】
2018148462.tif 000015
【図１４】
2018148462.tif 000016
【図１５】
2018148462.tif 000017
【図１６】
2018148462.tif 000018
【図１７】
2018148462.tif 000019
【図１８】
2018148462.tif 000020
【図１９】
2018148462.tif 000021
【図２０】
2018148462.tif 000022
【図２１】
2018148462.tif 000023
【図２２】
2018148462.tif 000024
【図２３】
2018148462.tif 000025
【図２４】
2018148462.tif 000026
【手続補正書】
【提出日】平成30年6月8日(2018.6.8)
【手続補正１】
【補正対象書類名】明細書
【補正対象項目名】００４９
【補正方法】変更
【補正の内容】
【００４９】
実施の形態２に係る表示装置１は、導光体８を備える。導光体８は、第１面８１、第２面８２、第３面８３及び第４面８４及び第５面８５を有する。第３面８３及び第２面８２は、一方向に長い矩形状をなし、互いに平行であり、第３面８３及び第２面８２に垂直な連設面８５ａにより連なっている。第２面８２は、ローレット加工により凹凸状に形成されている。したがって、実施の形態２における第２面８２は、全面が凹凸部となる。
【手続補正２】
【補正対象書類名】明細書
【補正対象項目名】００５８
【補正方法】変更
【補正の内容】
【００５８】
更に、導光体６は、表示面２ａの周縁部でなく、表示装置１の設計に伴って適宜の位置に配置してもよい。また、表示面２ａの周縁部の下部を覆うことができれば、被覆板４に代えて、シート状又はブロック状等の被覆部材により前記下部を覆うこととしてもよい。実施の形態１及び実施の形態２に係る表示装置１は、テレビジョン受信機に用いられる構成でなく、インフォメーションディスプレイ、カーナビゲーションの表示画面又はパーソナルコンピュータに用いられる構成であってもよい。
【手続補正３】
【補正対象書類名】明細書
【補正対象項目名】００７５
【補正方法】変更
【補正の内容】
【００７５】
ＣＰＵ１１０は、スピーカ１７０に音声を出力させるとともに、図１５Ｂに示すように、決定された出力方法に基づいて、ＬＥＤ７１を発光させる（ステップＳ１０６）。
【手続補正４】
【補正対象書類名】明細書
【補正対象項目名】００９３
【補正方法】変更
【補正の内容】
【００９３】
ここで、ユーザが音量を変更するためのボタンを押すたびにＬＥＤ７１または表示面２ａの一部又は全部が光ることが好ましい。あるいは、ユーザが音量変更するためのボタンを押している間、ＬＥＤ７１又は表示面２ａの一部または全部が光っていることが好ましい。
【手続補正５】
【補正対象書類名】明細書
【補正対象項目名】００９５
【補正方法】変更
【補正の内容】
【００９５】
図２１は、表示装置１のチャンネル変更の第１の動作概要を示すイメージ図である。図２２は、表示装置１のチャンネル変更の第２の動作概要を示すイメージ図である。図２３は、表示装置１のチャンネル変更の第３の動作概要を示すイメージ図である。表示装置１は、チャンネルを変更するための命令を受け付けた際に、「反応する（連動）」動作を実行する。具体的には、ＣＰＵ１１０は、リモコンや本体操作部からチャンネルを変更するための命令を受け付けた際に表示面２ａの一部にチャンネルを示す画像またはテキストを表示する。より詳細には、図２１と図２２と図２３に示すように、ＣＰＵ１１０は、表示面２ａの下部の左右中央部に変更後のチャンネルを表示させる。
【手続補正６】
【補正対象書類名】明細書
【補正対象項目名】０１０３
【補正方法】変更
【補正の内容】
【０１０３】
表示装置１は、初期設定の際に「出会う」動作を実行する。具体的には、ＣＰＵ１１０は、初期設定を完了した際に、表示面２ａに数秒間映像をさせる。たとえば、図２４に示すように、初期設定が完了すると、ＬＥＤ７１を点滅させて導光体６から光を出射させ、一方で表示面２ａに泡が広がっていくような映像を表示させる。図２４は、表示装置の「出会う」の動作概要を示すイメージ図である。あるいは、ＷｉＦｉやｂｌｕｅｔｏｏｔｈの接続完了時にＣＰＵ１１０が、表示面２ａの一部またはＬＥＤ７１に光を出力させてもよい。
【手続補正７】
【補正対象書類名】明細書
【補正対象項目名】０１１５
【補正方法】変更
【補正の内容】
【０１１５】
本開示の一実施形態に係る表示装置（１）は  前記出光面をなす第１面（６１，８１）、該第１面（６１，８１）に連続し、前記前面（２ａ）に沿っており、凹凸部（６２ａ，８２）を有する第２面（６２，８２）、及び該第２面（６２，８２）に連続する第３面（６３，８３）を有する導光体（６，８）と、前記第３面（６３，８３）に対向する発光部（７１）とを備える。
【手続補正８】
【補正対象書類名】特許請求の範囲
【補正対象項目名】全文
【補正方法】変更
【補正の内容】
【特許請求の範囲】
【請求項１】
前面に画像を表示する表示部と、
前記前面の周縁部を覆う被覆部材と、
前記周縁部及び被覆部材の間に位置し、前記周縁部に対して前向きに延びる出光面をなす第１面、該第１面に連続し、前記前面に沿っている第２面、及び該第２面に連続する第３面を有する導光体と、
前記第３面に対向する発光部と
を備えることを特徴とする表示装置。
【請求項２】
前記表示部の動作に応じて、前記出光面から光が出射することを特徴とする請求項１に記載の表示装置。
【請求項３】
前記表示部に表示される画像に応じて、前記出光面から光が出射することを特徴とする請求項２に記載の表示装置。
【請求項４】
前記出光面から出射する光の輝度又は色は、前記表示部に表示される画像に応じて変化することを特徴とする請求項３に記載の表示装置。
【請求項５】
前記第２面は凹凸部を有することを特徴とする請求項１から請求項４までのいずれか一つに記載の表示装置。
【請求項６】
前記第２面及び前記第３面がなす角度は鋭角であることを特徴とする請求項５に記載の表示装置。
【請求項７】
音声を出力する音声出力部を備え、
該音声出力部が出力する音声に応じて、前記出光面から光が出射する
ことを特徴とする請求項１から請求項６までのいずれか一つに記載の表示装置。
【請求項８】
外部機器が接続される接続部を備え、
該接続部に接続されている外部機器の動作に応じて、前記出光面から光が出射することを特徴とする請求項１から請求項７までのいずれか一つに記載の表示装置。
【請求項９】
請求項１から請求項８のいずれか１つに記載の表示装置と、
テレビジョン放送を受信する受信部と
を備え、
前記受信部で受信したテレビジョン放送に基づいて前記表示部に映像を表示するようにしてあることを特徴とするテレビジョン受信機。